(57)【特許請求の範囲】
【請求項１】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する差し替え位置情報特定手段と、
差し替え領域原稿を読み取って第３の画像データを取得する第３の原稿読取手段と、
前記第３の画像データに含まれる差し替え領域を抽出し画像処理を施して差し替え領域データを取得する差し替え領域抽出手段と、
前記文書ファイルを構成する前記第１の領域データ群のうち前記差し替え位置情報にかかる位置にある領域データを前記差し替え領域データと差し替えて第３の領域データ群を取得する領域差し替え手段と、
前記第３の領域データ群を合成して更新文書ファイルを作成する更新文書作成手段と、
前記更新文書ファイルを記憶する更新文書記憶手段と、
を含むことを特徴とする画像処理システム。
【請求項２】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する挿入位置情報特定手段と、
挿入領域原稿を読み取って第３の画像データを取得する第３の原稿読取手段と、
前記第３の画像データに含まれる挿入領域を抽出し画像処理を施して挿入領域データを取得する挿入領域抽出手段と、
前記文書ファイルを構成する前記第１の領域データ群に対して前記挿入位置情報にかかる位置に前記挿入領域データを挿入して第３の領域データ群を取得する領域挿入手段と、
前記第３の領域データ群を合成して更新文書ファイルを作成する更新文書作成手段と、
前記更新文書ファイルを記憶する更新文書記憶手段と、
を含むことを特徴とする画像処理システム。
【請求項３】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
差し替え文書原稿を読み取って第２の画像データを取得する第２の原稿読取手段と、
前記第２の画像データに含まれる単一または複数の文字、図形および写真領域を抽出し領域ごとに画像処理を施して第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する特定手段と、
前記文書ファイルを構成する前記第１の領域データ群のうち前記差し替え位置情報にかかる位置にある領域データを前記差し替え領域データと差し替えて第３の領域データ群を取得する領域差し替え手段と、
前記第３の領域データ群を合成して更新文書ファイルを作成する更新文書作成手段と、
前記更新文書ファイルを記憶する更新文書記憶手段と、
を含むことを特徴とする画像処理システム。
【請求項４】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
挿入文書原稿を読み取って第２の画像データを取得する第２の原稿読取手段と、
前記第２の画像データに含まれる単一または複数の文字、図形および写真領域を抽出し領域ごとに画像処理を施して第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する特定手段と、
前記文書ファイルを構成する前記第１の領域データ群に対して前記挿入位置情報にかかる位置に前記挿入領域データを挿入して第３の領域データ群を取得する領域挿入手段と、
前記第３の領域データ群を合成して更新文書ファイルを作成する更新文書作成手段と、
前記更新文書ファイルを記憶する更新文書記憶手段と、
を含むことを特徴とする画像処理システム。
【請求項５】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する差し替え位置情報特定手段と、
差し替え領域原稿を読み取って第３の画像データを取得する第３の原稿読取手段と、
前記第３の画像データに含まれる差し替え領域を抽出し画像処理を施して差し替え領域データを取得する差し替え領域抽出手段と、
を含むことを特徴とする画像処理装置。
【請求項６】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する挿入位置情報特定手段と、
挿入領域原稿を読み取って第３の画像データを取得する第３の原稿読取手段と、
前記第３の画像データに含まれる挿入領域を抽出し画像処理を施して挿入領域データを取得する挿入領域抽出手段と、
を含むことを特徴とする画像処理装置。
【請求項７】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
差し替え文書原稿を読み取って第２の画像データを取得する第２の原稿読取手段と、
前記第２の画像データに含まれる単一または複数の文字、図形および写真領域を抽出し領域ごとに画像処理を施して第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する特定手段と、
を含むことを特徴とする画像処理装置。
【請求項８】
文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
挿入文書原稿を読み取って第２の画像データを取得する第２の原稿読取手段と、
前記第２の画像データに含まれる単一または複数の文字、図形および写真領域を抽出し領域ごとに画像処理を施して第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する特定手段と、を含むことを特徴とする画像処理装置。
【請求項９】
原稿読取部によって文書原稿を読み取って得られた第１の画像データを演算処理部が取得する段階と、
前記演算処理部が前記第１の画像データに含まれる単一または複数の文字、図形および写真領域を抽出し領域ごとに画像処理を施して第１の領域データ群を取得する段階と、
前記演算処理部が前記第１の領域データ群を合成して文書ファイルを作成する段階と、
文書ファイル格納部が前記文書ファイルを記憶する段階と、
前記原稿読取部によって前記文書ファイルの印刷原稿を読み取って得られた第２の画像データを前記演算処理部が取得する段階と、
前記演算処理部が前記第２の画像データに含まれる単一または複数の文字、図形および写真領域を抽出し第２の領域データ群を取得する段階と、
前記演算処理部が前記第２の画像データに含まれるマーカ領域を抽出しマーカ領域データを取得する段階と、
前記演算処理部が前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する段階と、
前記原稿読取部によって差し替え領域原稿を読み取って得られた第３の画像データを前記演算処理部が取得する段階と、
前記演算処理部が前記第３の画像データに含まれる差し替え領域を抽出し画像処理を施して差し替え領域データを取得する段階と、
前記演算処理部が前記文書ファイルを構成する前記第１の領域データ群のうち前記差し替え位置情報にかかる位置にある領域データを前記差し替え領域データと差し替えて第３の領域データ群を取得する段階と、
前記演算処理部が前記第３の領域データ群を合成して更新文書ファイルを作成する段階と、
前記文書ファイル格納部が前記更新文書ファイルを記憶する段階と、を含むことを特徴とする画像処理方法。
【請求項１０】
原稿読取部によって文書原稿を読み取って得られた第１の画像データを演算処理部が取得する段階と、
前記演算処理部が前記第１の画像データに含まれる単一または複数の文字、図形および写真領域を抽出し領域ごとに画像処理を施して第１の領域データ群を取得する段階と、
前記演算処理部が前記第１の領域データ群を合成して文書ファイルを作成する段階と、
文書ファイル格納部が前記文書ファイルを記憶する段階と、
前記原稿読取部によって前記文書ファイルの印刷原稿を読み取って得られた第２の画像データを前記演算処理部が取得する段階と、
前記演算処理部が前記第２の画像データに含まれる単一または複数の文字、図形および写真領域を抽出し第２の領域データ群を取得する段階と、
前記演算処理部が前記第２の画像データに含まれるマーカ領域を抽出しマーカ領域データを取得する段階と、
前記演算処理部が前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する段階と、
前記原稿読取部によって挿入領域原稿を読み取って得られた第３の画像データを前記演算処理部が取得する段階と、
前記演算処理部が前記第３の画像データに含まれる挿入領域を抽出し画像処理を施して挿入領域データを取得する段階と、
前記演算処理部が、前記文書ファイルを構成する前記第１の領域データ群に対して前記挿入位置情報にかかる位置に前記挿入領域データを挿入して第３の領域データ群を取得する段階と、
前記演算処理部が、前記第３の領域データ群を合成して更新文書ファイルを作成する段階と、
前記文書ファイル格納部が前記更新文書ファイルを記憶する段階と、を含むことを特徴とする画像処理方法。
【請求項１１】
原稿読取部によって文書原稿を読み取って得られた第１の画像データを演算処理部が取得する段階と、
前記演算処理部が前記第１の画像データに含まれる単一または複数の文字、図形および写真領域を抽出し領域ごとに画像処理を施して第１の領域データ群を取得する段階と、
前記演算処理部が前記第１の領域データ群を合成して文書ファイルを作成する段階と、
文書ファイル格納部が前記文書ファイルを記憶する段階と、
前記原稿読取部によって差し替え文書原稿を読み取って得られた第２の画像データを前記演算処理部が取得する段階と、
前記演算処理部が前記第２の画像データに含まれる単一または複数の文字、図形および写真領域を抽出し領域ごとに画像処理を施して第２の領域データ群を取得する段階と、
前記演算処理部が前記第２の画像データに含まれるマーカ領域を抽出しマーカ領域データを取得する段階と、
前記演算処理部が前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する段階と、
前記演算処理部が、前記文書ファイルを構成する前記第１の領域データ群のうち前記差し替え位置情報にかかる位置にある領域データを前記差し替え領域データと差し替えて第３の領域データ群を取得する段階と、
前記演算処理部が前記第３の領域データ群を合成して更新文書ファイルを作成する段階と、
前記文書ファイル格納部が前記更新文書ファイルを記憶する段階と、を含むことを特徴とする画像処理方法。
【請求項１２】
原稿読取部によって文書原稿を読み取って得られた第１の画像データを演算処理部が取得する段階と、
前記演算処理部が前記第１の画像データに含まれる単一または複数の文字、図形および写真領域を抽出し領域ごとに画像処理を施して第１の領域データ群を取得する段階と、
前記演算処理部が前記第１の領域データ群を合成して文書ファイルを作成する段階と、
文書ファイル格納部が前記文書ファイルを記憶する段階と、
前記原稿読取部によって挿入文書原稿を読み取って得られた第２の画像データを前記演算処理部が取得する段階と、
前記演算処理部が前記第２の画像データに含まれる単一または複数の文字、図形および写真領域を抽出し領域ごとに画像処理を施して第２の領域データ群を取得する段階と、
前記演算処理部が前記第２の画像データに含まれるマーカ領域を抽出しマーカ領域データを取得する段階と、
前記演算処理部が前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する段階と、
前記演算処理部が前記文書ファイルを構成する前記第１の領域データ群に対して前記挿入位置情報にかかる位置に前記挿入領域データを挿入して第３の領域データ群を取得する段階と、
前記演算処理部が前記第３の領域データ群を合成して更新文書ファイルを作成する段階と、
前記文書ファイル格納部が前記更新文書ファイルを記憶する段階と、を含むことを特徴とする画像処理方法。
【請求項１３】
原稿読取部によって文書原稿を読み取って得られた第１の画像データを演算処理部によって取得する手順と、
前記演算処理部によって前記第１の画像データに含まれる単一または複数の文字、図形および写真領域を抽出し領域ごとに画像処理を施して第１の領域データ群を取得する手順と、
前記演算処理部によって前記第１の領域データ群を合成して文書ファイルを作成する手順と、
前記原稿読取部によって前記文書ファイルの印刷原稿を読み取って得られた第２の画像データを前記演算処理部によって取得する手順と、
前記演算処理部によって前記第２の画像データに含まれる単一または複数の文字、図形および写真領域を抽出し第２の領域データ群を取得する手順と、
前記演算処理部によって前記第２の画像データに含まれるマーカ領域を抽出しマーカ領域データを取得する手順と、
前記演算処理部によって前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する手順と、
前記原稿読取部によって差し替え領域原稿を読み取って得られた第３の画像データを前記演算処理部によって取得する手順と、
前記演算処理部によって前記第３の画像データに含まれる差し替え領域を抽出し画像処理を施して差し替え領域データを取得する手順と、
を前記演算処理部を備える画像処理装置に実行させることを特徴とする画像処理プログラム。
【請求項１４】
原稿読取部によって文書原稿を読み取って得られた第１の画像データを演算処理部によって取得する手順と、
前記演算処理部によって前記第１の画像データに含まれる単一または複数の文字、図形および写真領域を抽出し領域ごとに画像処理を施して第１の領域データ群を取得する手順と、
前記演算処理部によって前記第１の領域データ群を合成して文書ファイルを作成する手順と、
前記原稿読取部によって前記文書ファイルの印刷原稿を読み取って得られた第２の画像データを前記演算処理部によって取得する手順と、
前記演算処理部によって前記第２の画像データに含まれる単一または複数の文字、図形および写真領域を抽出し第２の領域データ群を取得する手順と、
前記演算処理部によって前記第２の画像データに含まれるマーカ領域を抽出しマーカ領域データを取得する手順と、
前記演算処理部によって前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する手順と、
前記原稿読取部によって挿入領域原稿を読み取って得られた第３の画像データを前記演算処理部によって取得する手順と、
前記演算処理部によって前記第３の画像データに含まれる挿入領域を抽出し画像処理を施して挿入領域データを取得する手順と、
を前記演算処理部を備える画像処理装置に実行させることを特徴とする画像処理プログラム。
【請求項１５】
原稿読取部によって文書原稿を読み取って得られた第１の画像データを演算処理部によって取得する手順と、
前記演算処理部によって前記第１の画像データに含まれる単一または複数の文字、図形および写真領域を抽出し領域ごとに画像処理を施して第１の領域データ群を取得する手順と、
前記演算処理部によって前記第１の領域データ群を合成して文書ファイルを作成する手順と、
前記原稿読取部によって差し替え文書原稿を読み取って得られた第２の画像データを前記演算処理部によって取得する手順と、
前記演算処理部によって前記第２の画像データに含まれる単一または複数の文字、図形および写真領域を抽出し領域ごとに画像処理を施して第２の領域データ群を取得する手順と、
前記演算処理部によって前記第２の画像データに含まれるマーカ領域を抽出しマーカ領域データを取得する手順と、
前記演算処理部によって前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する手順と、
を前記演算処理部を備える画像処理装置に実行させることを特徴とする画像処理プログラム。
【請求項１６】
原稿読取部によって文書原稿を読み取って得られた第１の画像データを演算処理部によって取得する手順と、
前記演算処理部によって前記第１の画像データに含まれる単一または複数の文字、図形および写真領域を抽出し領域ごとに画像処理を施して第１の領域データ群を取得する手順と、
前記演算処理部によって前記第１の領域データ群を合成して文書ファイルを作成する手順と、
前記原稿読取部によって挿入文書原稿を読み取って第２の画像データを前記演算処理部によって取得する手順と、
前記演算処理部によって前記第２の画像データに含まれる単一または複数の文字、図形および写真領域を抽出し領域ごとに画像処理を施して第２の領域データ群を取得する手順と、
前記演算処理部によって前記第２の画像データに含まれるマーカ領域を抽出しマーカ領域データを取得する手順と、
前記演算処理部によって前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する手順と、
を前記演算処理部を備える画像処理装置に実行させることを特徴とする画像処理プログラム。
【請求項１７】
請求項１３〜１６のいずれか１項に記載の画像処理プログラムを記録したコンピュータ読み取り可能な記録媒体。
【発明の詳細な説明】
【０００１】
【発明の属する技術分野】
本発明は、文書ファイリングのための画像処理システムに関する。詳しくは、登録文書ファイル中の変更や追加した領域だけを差し替えたり挿入することのできる文書登録のための画像処理システムである。
【０００２】
【従来の技術】
ネットワークに接続された画像入力装置から文書原稿を読み取ってネットワーク上のファイルサーバに文書ファイルを登録する文書登録システムにおいては、ファイルサーバに格納されている登録文書ファイルの一部だけを変更したり追加した場合でも、更新した文書の全文を再読み取りして更新文書ファイルを再登録する必要があった。かかる場合、大量の文書について頻繁に変更や追加を行うと、操作が煩雑となり無駄な時間を要するばかりでなく、ネットワークトラフィックにも不要の負荷をかける結果となっていた。また、登録された文書ファイルを更新ファイルで上書きする方法では、更新前の文書ファイルが保存されないので文書ファイルの更新履歴を残すことができず、更新前の文書ファイルをすべて保存して更新履歴を残そうとすると、ファイル容量が膨大なものになってしまうという問題があった。
【０００３】
これらの問題を解決するため、ページ単位で登録文書ファイルの差し替えや挿入を行う文書登録方法が提案されているが（特開平８−３１７１５５号、特開平６−１２１０６１号等）、これらによっても登録文書ファイル中の変更や追加した領域だけを差し替えたり挿入したりすることはできず、上記課題を完全には解決できていないのが現状であった。
【０００４】
【発明が解決しようとする課題】
本発明は上記従来技術の有する問題点に鑑みなされたものであり、その目的とするところは、登録文書ファイル中の変更や追加した領域だけを差し替えたり挿入することのできる文書登録のための画像処理システム、画像処理装置、画像処理方法、および画像処理プログラムならびにこれを記録した記録媒体を提供することにある。
【０００５】
【課題を解決するための手段】
本発明の上記目的は、下記の手段によって達成される。
【０００６】
（１）  文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する差し替え位置情報特定手段と、
差し替え領域原稿を読み取って第３の画像データを取得する第３の原稿読取手段と、
前記第３の画像データに含まれる差し替え領域を抽出し画像処理を施して差し替え領域データを取得する差し替え領域抽出手段と、
前記文書ファイルを構成する前記第１の領域データ群のうち前記差し替え位置情報にかかる位置にある領域データを前記差し替え領域データと差し替えて第３の領域データ群を取得する領域差し替え手段と、
前記第３の領域データ群を合成して更新文書ファイルを作成する更新文書作成手段と、
前記更新文書ファイルを記憶する更新文書記憶手段と、
を含むことを特徴とする画像処理システム。
【０００７】
（２）  文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルを記憶する文書ファイル記憶手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する挿入位置情報特定手段と、
挿入領域原稿を読み取って第３の画像データを取得する第３の原稿読取手段と、
前記第３の画像データに含まれる挿入領域を抽出し画像処理を施して挿入領域データを取得する挿入領域抽出手段と、
前記文書ファイルを構成する前記第１の領域データ群に対して前記挿入位置情報にかかる位置に前記挿入領域データを挿入して第３の領域データ群を取得する領域挿入手段と、
前記第３の領域データ群を合成して更新文書ファイルを作成する更新文書作成手段と、
前記更新文書ファイルを記憶する更新文書記憶手段と、
を含むことを特徴とする画像処理システム。
【０００８】
（３）  文書原稿を読み取って第１の画像データを取得する第１の原稿読取手段と、前記第１の画像データに含まれる単一または複数の文字、図形および写真領域を抽出し領域ごとに画像処理を施して第１の領域データ群を取得する第１の領域抽出手段と、前記第１の領域データ群を合成して文書ファイルを作成する文書ファイル作成手段と、前記文書ファイルを記憶する文書ファイル記憶手段と、差し替え文書原稿を読み取って第２の画像データを取得する第２の原稿読取手段と、前記第２の画像データに含まれる単一または複数の文字、図形および写真領域を抽出し領域ごとに画像処理を施して第２の領域データ群を取得する第２の領域抽出手段と、前記第２の画像データに含まれるマーカ領域を抽出しマーカ領域データを取得するマーカ領域抽出手段と、前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する特定手段と、前記文書ファイルを構成する前記第１の領域データ群のうち前記差し替え位置情報にかかる位置にある領域データを前記差し替え領域データと差し替えて第３の領域データ群を取得する領域差し替え手段と、前記第３の領域データ群を合成して更新文書ファイルを作成する更新文書作成手段と、前記更新文書ファイルを記憶する更新文書記憶手段と、を含むことを特徴とする画像処理システム。
【０００９】
（４）  文書原稿を読み取って第１の画像データを取得する第１の原稿読取手段と、前記第１の画像データに含まれる単一または複数の文字、図形および写真領域を抽出し領域ごとに画像処理を施して第１の領域データ群を取得する第１の領域抽出手段と、前記第１の領域データ群を合成して文書ファイルを作成する文書ファイル作成手段と、前記文書ファイルを記憶する文書ファイル記憶手段と、挿入文書原稿を読み取って第２の画像データを取得する第２の原稿読取手段と、前記第２の画像データに含まれる単一または複数の文字、図形および写真領域を抽出し領域ごとに画像処理を施して第２の領域データ群を取得する第２の領域抽出手段と、前記第２の画像データに含まれるマーカ領域を抽出しマーカ領域データを取得するマーカ領域抽出手段と、前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する特定手段と、前記文書ファイルを構成する前記第１の領域データ群に対して前記挿入位置情報にかかる位置に前記挿入領域データを挿入して第３の領域データ群を取得する領域挿入手段と、前記第３の領域データ群を合成して更新文書ファイルを作成する更新文書作成手段と、前記更新文書ファイルを記憶する更新文書記憶手段と、を含むことを特徴とする画像処理システム。
【００１０】
（５）  文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する差し替え位置情報特定手段と、
差し替え領域原稿を読み取って第３の画像データを取得する第３の原稿読取手段と、
前記第３の画像データに含まれる差し替え領域を抽出し画像処理を施して差し替え領域データを取得する差し替え領域抽出手段と、
を含むことを特徴とする画像処理装置。
【００１１】
（６）  文書原稿を読み取って第１の画像データを取得する第１の原稿読取手段と、
前記第１の画像データに含まれる単一または複数の文字、図形および写真領域を抽出し領域ごとに画像処理を施して第１の領域データ群を取得する第１の領域抽出手段と、
前記第１の領域データ群を合成して文書ファイルを作成する文書ファイル作成手段と、
前記文書ファイルの印刷原稿を読み取って第２の画像データを取得する第２の原稿読取手段と、
前記第２の画像データに含まれる単一または複数の文字、図形および写真領域を抽出し第２の領域データ群を取得する第２の領域抽出手段と、
前記第２の画像データに含まれるマーカ領域を抽出しマーカ領域データを取得するマーカ領域抽出手段と、
前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する挿入位置情報特定手段と、
挿入領域原稿を読み取って第３の画像データを取得する第３の原稿読取手段と、
前記第３の画像データに含まれる挿入領域を抽出し画像処理を施して挿入領域データを取得する挿入領域抽出手段と、
を含むことを特徴とする画像処理装置。
【００１２】
（７）  文書原稿を読み取って第１の画像データを取得する第１の原稿読取手段と、前記第１の画像データに含まれる単一または複数の文字、図形および写真領域を抽出し領域ごとに画像処理を施して第１の領域データ群を取得する第１の領域抽出手段と、前記第１の領域データ群を合成して文書ファイルを作成する文書ファイル作成手段と、差し替え文書原稿を読み取って第２の画像データを取得する第２の原稿読取手段と、前記第２の画像データに含まれる単一または複数の文字、図形および写真領域を抽出し領域ごとに画像処理を施して第２の領域データ群を取得する第２の領域抽出手段と、前記第２の画像データに含まれるマーカ領域を抽出しマーカ領域データを取得するマーカ領域抽出手段と、前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する特定手段と、を含むことを特徴とする画像処理装置。
【００１３】
（８）  文書原稿を読み取って第１の画像データを取得する第１の原稿読取手段と、前記第１の画像データに含まれる単一または複数の文字、図形および写真領域を抽出し領域ごとに画像処理を施して第１の領域データ群を取得する第１の領域抽出手段と、前記第１の領域データ群を合成して文書ファイルを作成する文書ファイル作成手段と、挿入文書原稿を読み取って第２の画像データを取得する第２の原稿読取手段と、前記第２の画像データに含まれる単一または複数の文字、図形および写真領域を抽出し領域ごとに画像処理を施して第２の領域データ群を取得する第２の領域抽出手段と、前記第２の画像データに含まれるマーカ領域を抽出しマーカ領域データを取得するマーカ領域抽出手段と、前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する特定手段と、を含むことを特徴とする画像処理装置。
【００１４】
（９）  原稿読取部によって文書原稿を読み取って得られた第１の画像データを演算処理部が取得する段階と、前記演算処理部が前記第１の画像データに含まれる単一または複数の文字、図形および写真領域を抽出し領域ごとに画像処理を施して第１の領域データ群を取得する段階と、前記演算処理部が前記第１の領域データ群を合成して文書ファイルを作成する段階と、文書ファイル格納部が前記文書ファイルを記憶する段階と、前記原稿読取部によって前記文書ファイルの印刷原稿を読み取って得られた第２の画像データを前記演算処理部が取得する段階と、前記演算処理部が前記第２の画像データに含まれる単一または複数の文字、図形および写真領域を抽出し第２の領域データ群を取得する段階と、前記演算処理部が前記第２の画像データに含まれるマーカ領域を抽出しマーカ領域データを取得する段階と、前記演算処理部が前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する段階と、前記原稿読取部によって差し替え領域原稿を読み取って得られた第３の画像データを前記演算処理部が取得する段階と、前記演算処理部が前記第３の画像データに含まれる差し替え領域を抽出し画像処理を施して差し替え領域データを取得する段階と、前記演算処理部が前記文書ファイルを構成する前記第１の領域データ群のうち前記差し替え位置情報にかかる位置にある領域データを前記差し替え領域データと差し替えて第３の領域データ群を取得する段階と、前記演算処理部が前記第３の領域データ群を合成して更新文書ファイルを作成する段階と、前記文書ファイル格納部が前記更新文書ファイルを記憶する段階と、を含むことを特徴とする画像処理方法。
【００１５】
（１０）  原稿読取部によって文書原稿を読み取って得られた第１の画像データを演算処理部が取得する段階と、前記演算処理部が前記第１の画像データに含まれる単一または複数の文字、図形および写真領域を抽出し領域ごとに画像処理を施して第１の領域データ群を取得する段階と、前記演算処理部が前記第１の領域データ群を合成して文書ファイルを作成する段階と、文書ファイル格納部が前記文書ファイルを記憶する段階と、前記原稿読取部によって前記文書ファイルの印刷原稿を読み取って得られた第２の画像データを前記演算処理部が取得する段階と、前記演算処理部が前記第２の画像データに含まれる単一または複数の文字、図形および写真領域を抽出し第２の領域データ群を取得する段階と、前記演算処理部が前記第２の画像データに含まれるマーカ領域を抽出しマーカ領域データを取得する段階と、前記演算処理部が前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する段階と、前記原稿読取部によって挿入領域原稿を読み取って得られた第３の画像データを前記演算処理部が取得する段階と、前記演算処理部が前記第３の画像データに含まれる挿入領域を抽出し画像処理を施して挿入領域データを取得する段階と、前記演算処理部が、前記文書ファイルを構成する前記第１の領域データ群に対して前記挿入位置情報にかかる位置に前記挿入領域データを挿入して第３の領域データ群を取得する段階と、前記演算処理部が、前記第３の領域データ群を合成して更新文書ファイルを作成する段階と、前記文書ファイル格納部が前記更新文書ファイルを記憶する段階と、を含むことを特徴とする画像処理方法。
【００１６】
（１１）  原稿読取部によって文書原稿を読み取って得られた第１の画像データを演算処理部が取得する段階と、前記演算処理部が前記第１の画像データに含まれる単一または複数の文字、図形および写真領域を抽出し領域ごとに画像処理を施して第１の領域データ群を取得する段階と、前記演算処理部が前記第１の領域データ群を合成して文書ファイルを作成する段階と、文書ファイル格納部が前記文書ファイルを記憶する段階と、前記原稿読取部によって差し替え文書原稿を読み取って得られた第２の画像データを前記演算処理部が取得する段階と、前記演算処理部が前記第２の画像データに含まれる単一または複数の文字、図形および写真領域を抽出し領域ごとに画像処理を施して第２の領域データ群を取得する段階と、前記演算処理部が前記第２の画像データに含まれるマーカ領域を抽出しマーカ領域データを取得する段階と、前記演算処理部が前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する段階と、前記演算処理部が、前記文書ファイルを構成する前記第１の領域データ群のうち前記差し替え位置情報にかかる位置にある領域データを前記差し替え領域データと差し替えて第３の領域データ群を取得する段階と、前記演算処理部が前記第３の領域データ群を合成して更新文書ファイルを作成する段階と、前記文書ファイル格納部が前記更新文書ファイルを記憶する段階と、を含むことを特徴とする画像処理方法。
【００１７】
（１２）  原稿読取部によって文書原稿を読み取って得られた第１の画像データを演算処理部が取得する段階と、前記演算処理部が前記第１の画像データに含まれる単一または複数の文字、図形および写真領域を抽出し領域ごとに画像処理を施して第１の領域データ群を取得する段階と、前記演算処理部が前記第１の領域データ群を合成して文書ファイルを作成する段階と、文書ファイル格納部が前記文書ファイルを記憶する段階と、前記原稿読取部によって挿入文書原稿を読み取って得られた第２の画像データを前記演算処理部が取得する段階と、前記演算処理部が前記第２の画像データに含まれる単一または複数の文字、図形および写真領域を抽出し領域ごとに画像処理を施して第２の領域データ群を取得する段階と、前記演算処理部が前記第２の画像データに含まれるマーカ領域を抽出しマーカ領域データを取得する段階と、前記演算処理部が前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する段階と、前記演算処理部が前記文書ファイルを構成する前記第１の領域データ群に対して前記挿入位置情報にかかる位置に前記挿入領域データを挿入して第３の領域データ群を取得する段階と、前記演算処理部が前記第３の領域データ群を合成して更新文書ファイルを作成する段階と、前記文書ファイル格納部が前記更新文書ファイルを記憶する段階と、を含むことを特徴とする画像処理方法。
【００１８】
（１３）  原稿読取部によって文書原稿を読み取って得られた第１の画像データを演算処理部によって取得する手順と、前記演算処理部によって前記第１の画像データに含まれる単一または複数の文字、図形および写真領域を抽出し領域ごとに画像処理を施して第１の領域データ群を取得する手順と、前記演算処理部によって前記第１の領域データ群を合成して文書ファイルを作成する手順と、前記原稿読取部によって前記文書ファイルの印刷原稿を読み取って得られた第２の画像データを前記演算処理部によって取得する手順と、前記演算処理部によって前記第２の画像データに含まれる単一または複数の文字、図形および写真領域を抽出し第２の領域データ群を取得する手順と、前記演算処理部によって前記第２の画像データに含まれるマーカ領域を抽出しマーカ領域データを取得する手順と、前記演算処理部によって前記第２の領域データ群および前記マーカ領域データの外接矩形の位置情報を比較して前記第２の領域データ群のうち前記マーカ領域が最も多く含まれる領域にかかる領域データの外接矩形の位置情報を差し替え位置情報として特定する手順と、前記原稿読取部によって差し替え領域原稿を読み取って得られた第３の画像データを前記演算処理部によって取得する手順と、前記演算処理部によって前記第３の画像データに含まれる差し替え領域を抽出し画像処理を施して差し替え領域データを取得する手順と、を前記演算処理部を備える画像処理装置に実行させることを特徴とする画像処理プログラム。
【００１９】
（１４）  原稿読取部によって文書原稿を読み取って得られた第１の画像データを演算処理部によって取得する手順と、前記演算処理部によって前記第１の画像データに含まれる単一または複数の文字、図形および写真領域を抽出し領域ごとに画像処理を施して第１の領域データ群を取得する手順と、前記演算処理部によって前記第１の領域データ群を合成して文書ファイルを作成する手順と、前記原稿読取部によって前記文書ファイルの印刷原稿を読み取って得られた第２の画像データを前記演算処理部によって取得する手順と、前記演算処理部によって前記第２の画像データに含まれる単一または複数の文字、図形および写真領域を抽出し第２の領域データ群を取得する手順と、前記演算処理部によって前記第２の画像データに含まれるマーカ領域を抽出しマーカ領域データを取得する手順と、前記演算処理部によって前記第２の領域データ群および前記マーカ領域データの外接矩形の位置情報を比較して前記第２の領域データ群のうち前記マーカ領域が最も多く含まれる領域にかかる領域データの外接矩形の位置情報を挿入位置情報として特定する手順と、前記原稿読取部によって挿入領域原稿を読み取って得られた第３の画像データを前記演算処理部によって取得する手順と、前記演算処理部によって前記第３の画像データに含まれる挿入領域を抽出し画像処理を施して挿入領域データを取得する手順と、を前記演算処理部を備える画像処理装置に実行させることを特徴とする画像処理プログラム。
【００２０】
（１５）  原稿読取部によって文書原稿を読み取って得られた第１の画像データを演算処理部によって取得する手順と、前記演算処理部によって前記第１の画像データに含まれる単一または複数の文字、図形および写真領域を抽出し領域ごとに画像処理を施して第１の領域データ群を取得する手順と、前記演算処理部によって前記第１の領域データ群を合成して文書ファイルを作成する手順と、前記原稿読取部によって差し替え文書原稿を読み取って得られた第２の画像データを前記演算処理部によって取得する手順と、前記演算処理部によって前記第２の画像データに含まれる単一または複数の文字、図形および写真領域を抽出し領域ごとに画像処理を施して第２の領域データ群を取得する手順と、前記演算処理部によって前記第２の画像データに含まれるマーカ領域を抽出しマーカ領域データを取得する手順と、前記演算処理部によって前記第２の領域データ群および前記マーカ領域データの外接矩形の位置情報を比較して前記第２の領域データ群のうち前記マーカ領域が最も多く含まれる領域にかかる領域データを差し替え領域データとして特定するとともに、前記差し替え領域データの外接矩形の位置情報を差し替え位置情報として特定する手順と、を前記演算処理部を備える画像処理装置に実行させることを特徴とする画像処理プログラム。
【００２１】
（１６）  原稿読取部によって文書原稿を読み取って得られた第１の画像データを演算処理部によって取得する手順と、前記演算処理部によって前記第１の画像データに含まれる単一または複数の文字、図形および写真領域を抽出し領域ごとに画像処理を施して第１の領域データ群を取得する手順と、前記演算処理部によって前記第１の領域データ群を合成して文書ファイルを作成する手順と、前記原稿読取部によって挿入文書原稿を読み取って第２の画像データを前記演算処理部によって取得する手順と、前記演算処理部によって前記第２の画像データに含まれる単一または複数の文字、図形および写真領域を抽出し領域ごとに画像処理を施して第２の領域データ群を取得する手順と、前記演算処理部によって前記第２の画像データに含まれるマーカ領域を抽出しマーカ領域データを取得する手順と、前記演算処理部によって前記第２の領域データ群および前記マーカ領域データの外接矩形の位置情報を比較して、前記第２の領域データ群のうち前記マーカ領域が最も多く含まれる領域にかかる領域データを挿入領域データとして特定するとともに、前記挿入領域データの外接矩形の位置情報を挿入位置情報として特定する手順と、を前記演算処理部を備える画像処理装置に実行させることを特徴とする画像処理プログラム。
【００２２】
（１７）  （１３）〜（１６）のいずれか１つに記載の画像処理プログラムを記録したコンピュータ読み取り可能な記録媒体。
【００２３】
【発明の実施の形態】
以下、本発明の実施の形態を、図面を参照して詳細に説明する。
【００２４】
図１は、本発明の第１の実施形態にかかる画像処理システムの全体構成を示すブロック図である。本実施形態にかかる画像処理システムは、画像処理装置としてのスキャナ１と、ファイルサーバ２とを備え、これらはコンピュータネットワーク３を介して相互に通信可能に接続されている。なお、コンピュータネットワークに接続される機器の種類および台数は、図１に示す例に限定されない。
【００２５】
つぎに、上記各機器の構成について説明するが、各機器で同様の機能を有する部分については、説明の重複を避けるため初回のみその説明を行い、２回目以降はその説明を省略する。
【００２６】
図２は、本実施形態にかかるスキャナ１の構成を示すブロック図である。図２において、スキャナ１は、ＣＰＵ１１、ＲＯＭ１２、ＲＡＭ１３、操作パネル部１４、原稿読取部１５、およびネットワークインタフェース１６を備えており、これらは信号をやり取りするためのバス１７を介して相互に接続されている。
【００２７】
ＣＰＵ１１は、プログラムにしたがって上記各部の制御や各種の演算処理等を行う。ＲＯＭ１２は、各種プログラムやパラメータを格納する。ＲＡＭ１３は、作業領域として一時的にプログラムやデータを記憶する。本実施形態において、スキャナ１は後述する所定の動作を行うが、このためのスキャナ１の動作を制御するプログラムは、ＲＯＭ１２に格納されている。
【００２８】
操作パネル部１４は、各種情報が表示されるパネル部、動作の開始を指示するスタートキー、表示ランプ等で構成されており、各種の入力と表示を行うために使用される。
【００２９】
原稿読取部１５は、所定の読み取り位置にセットされた原稿に蛍光ランプ等の光源で光を当て、その反射光をＣＣＤやＣＩＳ等の受光素子で光電変換して、その電気信号から画像データ（ビットマップデータ）を生成する。原稿読み取り部１５は、自動原稿搬送装置（ＡＤＦ）を備えていてもよく、これにより複数枚の原稿をＡＤＦにより一枚ずつ所定の読み取り位置まで搬送して順次読み取ることができる。
【００３０】
ネットワークインタフェース１６は、ネットワークに接続しネットワーク上のファイルサーバ２と通信するためのインタフェースであり、イーサネット（登録商標）、トークンリング、ＦＤＤＩ等の規格が用いられる。
【００３１】
図３は、本実施形態にかかるファイルサーバ２の構成の一例を示すブロック図である。ファイルサーバ２は、ファイルの格納および転送機能を有するコンピュータであり、ＣＰＵ２１、ＲＯＭ２２、ＲＡＭ２３、ハードディスク２４、ディスプレイ２５、入力装置２６、ネットワークインタフェース２７、およびバス２８を有する。
【００３２】
ハードディスク２４は入力された文書ファイルを格納する他、各種プログラムやデータを記憶する。本実施形態において、ファイルサーバ２は後述する所定の動作を行うが、このためのファイルサーバ２の動作を制御するプログラムは、ハードディスク２４に格納されている。ディスプレイ２５は、各種の表示を行う。入力装置２６は、キーボードやマウス等であり、各種の入力を行うために使用される。
【００３３】
コンピュータネットワーク３は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。
【００３４】
つぎに、本実施形態における画像処理システム全体の動作の概要を説明する。図４は、本実施形態の画像処理システムにおける新規文書登録の手順を示すフローチャートである。本画像処理システムにおける新規文書登録にあっては、まず、スキャナ１が、新規文書原稿を読み取って画像データを取得する（Ｓ１０１）。そして、取得した画像データに含まれる単一または複数の文字、図形および写真領域を抽出し（Ｓ１０２）、領域ごとに当該領域に応じた画像処理を施して文字、図形および写真領域データを取得する（Ｓ１０３）。ついで、得られた文字、図形および写真領域データを合成して文書を再構成し、所定のファイル形式に変換して文書ファイルを作成する（Ｓ１０４）。そして、ファイルサーバ２が、得られた文書ファイルを記憶する（Ｓ１０５）。
【００３５】
図５は、本実施形態の画像処理システムにおける差し替えの場合の更新文書登録の手順を示すフローチャートである。本画像処理システムにおける更新文書登録にあっては、スキャナ１が、差し替え位置指定原稿を読み取って画像データを取得する（Ｓ２０１）。ここで、差し替え位置指定原稿は、ファイルサーバ２に保存されている文書ファイルの印刷物であり、ユーザにより文書中の差し替えたい領域にマーカが印されている。スキャナ１は、取得した画像データに含まれる文字、図形および写真領域を抽出し（Ｓ２０２）、さらに差し替え位置指定原稿に印された前記マーカ領域を抽出する（Ｓ２０３）。そして、取得した文字、図形および写真領域データとマーカ領域データの外接矩形の位置情報を比較して、前記文字、図形または写真領域データのうち前記マーカ領域が最も多く含まれる領域についての領域データの外接矩形の位置情報を差し替え位置情報として特定する（Ｓ２０４）。
【００３６】
ついで、スキャナ１は、差し替え領域原稿を読み取って画像データを取得する（Ｓ２０５）。ここで、差し替え領域原稿には、差し替え領域、すなわち差し替えの対象となる更新された内容の文書領域（文字、図形または写真領域）が記載されている。スキャナ１は、得られた画像データに含まれる前記差し替え領域を抽出し（Ｓ２０６）、抽出した領域に応じた画像処理を施して差し替え領域データを取得する（Ｓ２０７）。
【００３７】
つぎに、ファイルサーバ２が、記憶している文書ファイルの中から前記差し替え位置指定原稿にかかる文書ファイルを読み出し、当該文書ファイルを構成する文字、図形および写真領域データのうち前記差し替え位置情報にかかる位置にある領域データを前記差し替え領域データと差し替える（Ｓ２０８）。そして、差し替え後の文字、図形および写真領域データを合成して更新文書ファイルを作成し（Ｓ２０９）、得られた更新文書ファイルを記憶する（Ｓ２１０）。
【００３８】
一方、挿入の場合の更新文書登録の手順は、前記差し替えによる更新文書登録の手順において（Ｓ２０１〜Ｓ２１０）、ステップＳ２０１〜２０４と同様の手順により挿入位置指定原稿を読み取って挿入位置情報を特定し、ステップＳ２０５〜２０７と同様の手順により挿入領域原稿を読み取って挿入領域データを取得し、ステップＳ２０８の手順の代わりに、ファイルサーバ２が、該当文書ファイルを構成する文字、図形および写真領域データに対して前記挿入位置情報にかかる位置に前記挿入領域データを挿入し、ステップＳ２０９〜Ｓ２１０と同様の手順により更新文書ファイルを作成して記憶するものである。
【００３９】
つぎに、本実施形態の画像処理システムにおける各装置の動作について詳細に説明する。なお、更新文書登録の手順は差し替えの場合についてのみ説明し、挿入の場合の手順については、上記と同様にして差し替えの手順を読み替えるものであるので、その説明を省略する。図６および図７は、本画像処理システムにおけるスキャナ１の動作を示すフローチャートである。図６において、スキャナ１は、まず文書の登録種別をユーザに設定させるための登録種別設定画面を操作パネル部１４に表示し（Ｓ３０１）、ユーザから登録種別の設定入力があるまで待機する（Ｓ３０２のＮＯ）。ここで、登録種別としては新規、差し替えおよび挿入があり、登録種別の設定画面としては、例えば操作パネル部１４がタッチパネルを有する場合は、「新規」、「差し替え」および「挿入」のタッチボタンをタッチパネルに表示してユーザにこれを押下させる構成や、操作パネル部１４がテンキーを有する場合は、パネル上に「新規」、「差し替え」および「挿入」に対応する番号を表示し当該番号をテンキーから入力させる構成等とすることができる。
【００４０】
スキャナ１は、ユーザから登録種別の設定入力を受け付けると（Ｓ３０２のＹＥＳ）、登録種別が新規である場合（Ｓ３０３のＹＥＳ）、新規に登録しようとする文書のファイル名をユーザに入力させるための文書ファイル名の入力画面を操作パネル部１４に表示し（Ｓ３０４）、ユーザから当該ファイル名の入力があるまで待機する（Ｓ３０５のＮＯ）。文書ファイル名の入力画面としては、例えば操作パネル部１４がタッチパネルを有する場合にはタッチパネルにタッチキーを表示してユーザに文字入力を行わせる構成や、操作パネル部１４がテンキーを有する場合はテンキーにより、キーボードを有する場合はキーボードにより文字入力を行わせる構成とすることができる。なお、文書ファイル名の入力は、このようなキー入力によらずに、後に処理する画像データの文字領域の文字認識処理により文書内の文字列から自動的に生成するようにしてもよい。
【００４１】
スキャナ１は、ユーザから新規文書ファイル名の入力を受け付けると（Ｓ３０５のＹＥＳ）、入力されたファイル名をＲＡＭ１３に保存し、ユーザから新規文書原稿の読み取り開始命令があるまで待機する（Ｓ３０６のＮＯ）。原稿の読み取り開始命令の入力は、ユーザが操作パネル部１４のスタートキーを押すことにより行われる。ユーザからの読み取り開始命令の入力を受け付けると（Ｓ３０６のＹＥＳ）、原稿台の所定の読み取り位置にセットされた新規文書原稿を読み取って画像データを取得し（Ｓ３０７）、ＲＡＭ１３に保存する。
【００４２】
ついで、取得した画像データに含まれる単一または複数の文字、図形および写真領域を抽出する（Ｓ３０８）。かかる領域抽出には既知の方法を用いることができ、例えば、取得した画像データを２値化し、白画素部分を区切りとして領域を分割し、ランレングス情報や黒画素率情報等を基に分割した領域が文字、図形または写真領域のいずれであるかを判別する方法等を利用することができる。また、当該領域抽出に際しては、抽出した前記各領域データの外接矩形の原稿画像データにおける位置情報が検出され、当該領域データの属性として記録される。抽出された領域データは、ＲＡＭ１３に保存される。
【００４３】
さらに、抽出した各領域について、領域に応じて必要な画像処理を施す（Ｓ３０９）。具体的には、文字領域に対しては文字認識処理を行って文字コードに変換し、図形領域に対してはラスタベクタ変換を行ってベクタデータに変換し、写真領域に対しては解像度変換を行いＪＰＥＧ等の圧縮データに変換する。ただし、抽出した領域データに施す画像処理は上述のものに限定されず、例えば、文字領域や画像領域を色属性を付加した２値データに変換するものであってもよいし、すべての領域をビットマップデータのまま利用する形態であっても構わない。画像処理後の領域データは、ＲＡＭ１３に保存される。
【００４４】
このようにして、セットされた原稿が複数枚ある場合は、すべての原稿について、上記原稿読み取り（Ｓ３０７）、領域抽出（Ｓ３０８）および画像処理（Ｓ３０９）の各手順を繰り返した後（Ｓ３１０）、得られた文字、図形および写真領域データを合成して文書を再構成し、所定のファイル形式に変換して文書ファイルを作成する（Ｓ３１１）。当該領域データの合成は、ページごとに各領域データの位置情報に基づいて各領域を配置することにより、ページごとに原稿の文書構成を保持するように行ってもよいし、原稿の文書構成は保持せずに、各領域を所定の倍率に変倍し順次配置して文書ファイルを構成するようにしてもよい。上述の文書ファイル名入力受付手順（Ｓ３０５）でユーザにより入力された文書ファイル名、各ページに配置された各領域データの位置情報等は、登録種別（新規）とともに作成した文書ファイルにファイル属性として付加される（Ｓ３１２）。そして、得られた文書ファイルを、ネットワークインタフェース１６およびコンピュータネットワーク３を経由してファイルサーバ２に転送する（Ｓ３１３）。
【００４５】
一方、上記登録種別の設定入力受付の手順（Ｓ３０２）においてユーザから受け付けた登録種別が差し替えである場合（Ｓ３０３のＮＯ）、図７において、スキャナ１は、更新しようとする文書ファイルのファイル名をユーザに指定させるための文書ファイル名の指定入力画面を操作パネル部１４に表示し（Ｓ３１４）、ユーザから当該ファイル名の指定入力があるまで待機する（Ｓ３１５のＮＯ）。文書ファイル名の指定入力画面としては、例えばファイルサーバ２から予め、または即時ダウンロードした登録文書ファイルのファイル名のリストを操作パネル部１４のパネルに表示しユーザに選択指定させる構成や、上記新規文書ファイル名の入力画面と同様な方法で文字入力により文書ファイル名を入力させる構成とすることができる。
【００４６】
スキャナ１は、ユーザから文書ファイル名の指定入力を受け付けると（Ｓ３１５のＹＥＳ）、入力された文書ファイル名をＲＡＭ１３に保存し、ついで、更新する文書ファイルの差し替えたい領域を含むページのページ番号をユーザに指定させるためのページ番号の指定入力画面を操作パネル部１４に表示し（Ｓ３１６）、ユーザからページ番号の指定入力があるまで待機する（Ｓ３１７のＮＯ）。ページ番号の指定入力画面としては、例えばテンキー、キーボード、タッチキー等を用いてユーザにページ番号をキー入力させる構成とすることができる。なお、ページ番号の指定入力は、このようなキー入力によらずに、差し替え位置指定原稿内の特定領域にあるページ番号の文字列から文字認識処理により自動認識するようにしてもよい。
【００４７】
スキャナ１は、ユーザからページ番号の指定入力を受け付けると（Ｓ３１７のＹＥＳ）、入力されたページ番号をＲＡＭ１３に保存し、ユーザから差し替え位置指定原稿の読み取り開始命令があるまで待機する（Ｓ３１８のＮＯ）。図８（ａ）は差し替え位置指定原稿の一例を示したものである。差し替え位置指定原稿４１は、ファイルサーバ２に記憶されている文書ファイルの印刷物であり、文書、図形または写真領域として、領域Ａ、領域Ｂおよび領域Ｃを含んでいる。また、差し替え位置指定原稿４１は、ユーザにより、原稿上の差し替えの対象となる領域（領域Ｂ）を指定するためのマーカ４２が印されている。ユーザからの読み取り開始命令の入力を受け付けると（Ｓ３１８のＹＥＳ）、セットされた差し替え位置指定原稿を読み取って画像データを取得し（Ｓ３１９）、ＲＡＭ１３に保存する。
【００４８】
ついで、スキャナ１は、取得した画像データに含まれる単一または複数の文字、図形および写真領域を抽出し（Ｓ３２０）、ＲＡＭ１３に保存する。さらに、前記画像データに含まれるマーカ領域を抽出する（Ｓ３２１）。マーカ領域の抽出は、原稿内のマーカ色の輪郭を追跡することにより行う。そして、取得した文字、図形および写真領域データとマーカ領域データの外接矩形の位置情報を比較して、前記文字、図形または写真領域データのうち前記マーカ領域が最も多く含まれる領域についての領域データの外接矩形の位置情報を差し替え位置情報として特定する（Ｓ３２２）。図８（ｂ）は、差し替え位置指定原稿４１を読み取って得られた画像データを示している。画像データ５１には、原稿と同様に、領域Ａ、領域Ｂおよび領域Ｃ、ならびにマーカ領域５２が含まれている。スキャナ１は、抽出した領域Ａ、領域Ｂおよび領域Ｃの領域データの外接矩形の位置情報と、抽出したマーカ領域５２の領域データの外接矩形５３の位置情報とを比較し、マーカ領域を一番多く含む領域Ｂの領域データの位置情報を差し替え位置情報として特定し、ＲＡＭ１３に保存する。
【００４９】
つぎに、ユーザから差し替え領域原稿の読み取り開始命令があるまで待機し（Ｓ３２３のＮＯ）、ユーザからの読み取り開始命令の入力を受け付けると（Ｓ３２３のＹＥＳ）、セットされた差し替え領域原稿を読み取って画像データを取得しＲＡＭ１３に保存する（Ｓ３２４）。図９（ａ）は、差し替え領域原稿の一例を示したものである。差し替え領域原稿６１には、差し替え領域、すなわち差し替えの対象となる更新された文字、図形または写真領域（領域Ｄ）が記載されている。スキャナ１は、得られた画像データに含まれる前記差し替え領域を抽出し（Ｓ３２５）、ステップＳ３０９と同様な領域に応じた画像処理を施して（Ｓ３２６）、得られた差し替え領域データをＲＡＭ１３に保存する。上述の文書ファイル名指定入力受付の手順（Ｓ３１５）でユーザにより指定された文書ファイル名、ページ番号指定入力受付の手順（Ｓ３１７）でユーザにより入力された差し替えページ番号、差し替え位置情報特定の手順（Ｓ３２２）で特定された差し替え位置情報等は、登録種別（差し替え）とともに得られた差し替え領域データファイルにファイル属性として付加される（Ｓ３２７）。そして、得られた差し替え領域データファイルを、ネットワークインタフェース１６およびコンピュータネットワーク３を経由してファイルサーバ２に転送する（Ｓ３２８）。
【００５０】
図１０は、本画像処理システムにおけるファイルサーバ２の動作を示すフローチャートである。図１０において、ファイルサーバ２は、スキャナ１からファイルを受信するまで待機し（Ｓ４０１ＳのＮＯ）、スキャナ１からコンピュータネットワーク３およびネットワークインタフェース２７を介してファイルを受信すると（４０１のＹＥＳ）、受信したファイルのファイル属性を読み込み（Ｓ４０２）、登録種別が新規である場合（Ｓ４０３のＹＥＳ）、すなわち、受信したファイルがステップＳ３１３でスキャナ１により送信された新規文書ファイルである場合、受信した文書ファイルをそのまま、または必要によって所定のデータベース用ファイル形式に変換して、ハードディスク２４の所定のディレクトリに記憶する（Ｓ４０４）。
【００５１】
一方、読み込んだファイル属性の登録種別が差し替えである場合（Ｓ４０３のＮＯ）、すなわち、受信したファイルがステップＳ３２８でスキャナ１により送信された差し替え領域データファイルである場合は、さらに前記ファイル属性の文書ファイル名に基づいてハードディスク２４の所定のディレクトリから該当する文書ファイルを検索し（Ｓ４０５）、さらに前記ファイル属性の差し込みページ番号に基づいて検索された文書ファイルの該当するページをＲＡＭ２３に読み出す（Ｓ４０６）。
【００５２】
つぎに、当該文書ファイルの読み出したページを構成する文字、図形および写真領域データの外接矩形の位置情報と、前記ファイル属性の差し替え位置情報とを比較し、差し替え位置情報と合致する位置情報を有する領域データを、受信した差し替え領域データファイルの差し替え領域データと差し替えて（Ｓ４０７）、差し替え後の各領域データを合成して文書を再構成し、所定のファイル形式に変換して更新文書ファイルを作成する（Ｓ４０８）。図９（ｂ）は、差し替え領域原稿から抽出した差し替え領域データとハードディスクから検索した登録文書ファイルの該当ページを示しており、図９（ｃ）は、領域を差し替えて作成した更新文書ファイルの該当ページを示している。ファイルサーバ２は、登録文書ファイル７１の当該ページに含まれる領域Ａ、領域Ｂおよび領域Ｃの外接矩形の位置情報と、差し替え領域データである領域Ｄの領域データファイルのファイル属性に記録された差し替え位置情報とを比較して、前記差し替え位置情報に合致する位置情報を有する領域Ｂを削除するかまたは非表示設定とし、当該位置に領域Ｄの領域データを配置する。この際、差し替え位置にあった既存の領域Ｂを非表示設定として保存しておくことにより、登録文書ファイルの更新履歴を残すことができ、いつでも履歴に応じた文書ファイルを再現することができる。また、領域Ｄの領域データが当該差し替え位置に収まらない場合は、当該差し替え位置に対して適切な大きさになるよう領域Ｄの領域データを変倍して配置してもよい。さらに、領域Ｄの領域データの倍率は固定して、他の既存の領域データが同一ページに収まらない場合は、他の既存の領域データを適切な大きさに変倍して同一ページに収めるか、倍率は変更しないで新たなページを挿入して収めるようにしてもよい。これらの領域の差し替え方法は、予め設定されていてもよいし、差し替え位置指定原稿の読み取り時にユーザによりスキャナ１の操作パネル部１４から設定入力させるものであっても構わない。ついで、差し替え後の領域Ａ、領域Ｄおよび領域Ｃを合成して文書ファイルを再構成し、所定のファイル形式に変換して更新文書ファイル８１を作成する。作成した更新文書ファイルはハードディスク２４の所定のディレクトリに記憶する（Ｓ４０９）。
【００５３】
なお、挿入による更新文書登録の場合の領域の挿入方法についても、前記領域の差し替え方法と同様ににして処理することができる。すなわち、スキャナ１は、差し替えによる更新文書登録と同様の手順（Ｓ３１４〜Ｓ３２２）により挿入位置情報を取得し、さらに、差し替えの場合と同様の手順（Ｓ３２３〜Ｓ３２８）により挿入領域原稿から挿入領域データを取得する。図１１（ａ）は挿入領域原稿９１、図１１（ｂ）は挿入領域原稿９１から抽出した挿入領域データ（領域Ｄ）とハードディスクから検索した登録文書ファイル７１の該当ページを示しており、また、図１１（ｃ）および（ｄ）は、それぞれ領域を挿入して作成した更新文書ファイル１０１および１０２の該当ページを示している。ファイルサーバ２は、登録文書ファイル７１を構成する領域Ａ、領域Ｂおよび領域Ｃの領域データに対して前記挿入位置情報にかかる位置（領域Ｃの位置）に領域Ｄの領域データを配置し、当該挿入位置およびそれより後ろに位置するの既存の領域データ（領域Ｃおよび領域Ｄ）を順次後方に押し出して配置する。この場合、図１１（ｃ）のに示すように、挿入領域データの挿入により後方に押し出される既存の領域データは、適切な倍率に変倍して同一ページに収めるようにしてもよいし、図１１（ｄ）に示すように、既存の領域データの倍率を変更しないで、同一ページに収まらない領域データは新たに挿入ページ１０３を生成して収めるようにしてもよい。また、既存の領域データの倍率は固定して、挿入領域データの倍率を変更して同一ページに収めるようにしてもよい。さらに、挿入領域データを配置する際に、当該挿入位置およびそれより前に位置する既存の領域データを順次前方に押し出して上記と同様の処理により配置する構成としても構わない。差し替えによる場合と同様、これらの領域の挿入方法は、予め設定されていてもよいし、挿入位置指定原稿の読み取り時にユーザによりスキャナ１の操作パネル部１４から設定入力させるものであってもよい。
【００５４】
上記実施形態においては、スキャナ１が、新規文書登録における新規文書原稿読取（Ｓ１０１）から文書ファイル作成（Ｓ１０４）までの手順、および更新文書登録における差し替え位置指定原稿読み取り（Ｓ２０１）から差し替え領域データの画像処理（Ｓ２０７）までの手順をそれぞれ処理するものであったが、このうち、新規文書登録における文書画像データからの領域抽出（Ｓ１０２）から文書ファイル作成（Ｓ１０４）までの手順、および更新文書登録における差し替え位置指定原稿画像データからの領域抽出（Ｓ２０２）から差し替え領域データの画像処理（Ｓ２０７）までの手順については、その一部または全部をファイルサーバ２、またはコンピュータ等の画像処理制御装置が処理するものであっても構わない。
【００５５】
つぎに、本発明の第２の実施形態にかかる画像処理システムについて説明する。本実施形態にかかる画像処理システムは、前記第１の実施形態にかかる画像処理システムと同様の構成を有し、また、図４に示す新規文書登録の手順（Ｓ１０１〜Ｓ１０５）に従って新規文書登録の処理を行う。本実施形態の画像処理システムは、前記第１の実施形態の画像処理システムとは以下に述べる更新文書登録の手順において異なるものである。
【００５６】
図１２は、本実施形態の画像処理システムにおける差し替えの場合の更新文書登録の手順を示すフローチャートである。本画像処理システムにおける更新文書登録にあっては、まず、スキャナ１が、差し替え文書原稿を読み取って画像データを取得する（Ｓ５０１）。図１３（ａ）は、差し替え文書原稿の一例を示したものである。差し替え文書原稿１１１は、ファイルサーバ２に保存されている文書ファイルをユーザにおいて更新した更新文書ファイルの当該更新にかかるページの印刷物であり（もとの文書ファイルの領域Ｂがユーザにより更新されて領域Ｄになっている）、文書中の更新した領域（領域Ｄ）、すなわち差し替えたい領域にユーザによってマーカ１１２が印されている。
【００５７】
スキャナ１は、取得した画像データに含まれる文字、図形および写真領域を抽出し（Ｓ５０２）、領域ごとに当該領域に応じた画像処理を施して文字、図形および写真領域データを取得し（Ｓ５０３）、さらに差し替え文書原稿に印された前記マーカ領域を抽出する（Ｓ５０４）。図１３（ｂ）は、差し替え文書原稿１１１を読み取って得られた画像データを示している。画像データ１２１には、領域Ａ、領域Ｄおよび領域Ｃ、ならびにマーカ領域１２２が含まれている。スキャナ１は、取得した文字、図形および写真領域（領域Ａ、領域Ｄおよび領域Ｃ）の領域データの外接矩形の位置情報と、マーカ領域１２２の領域データの外接矩形１２３の位置情報を比較して、前記マーカ領域が最も多く含まれる領域（領域Ｄ）にかかる領域データを差し替え領域データとして特定し、さらに当該差し替え領域データの外接矩形の位置情報を差し替え位置情報として特定する（Ｓ５０５）。
【００５８】
つぎに、ファイルサーバ２が、記憶している文書ファイルの中から前記差し替え文書原稿にかかる文書ファイルを読み出す。図１３（ｃ）は、差し替え文書原稿から抽出した差し替え領域データとハードディスクから検索した登録文書ファイルの該当ページを示している。ファイルサーバ２は、登録文書ファイル７１の当該ページを構成する文字、図形および写真領域データ（領域Ａ、領域Ｂおよび領域Ｃ）の外接矩形の位置情報と、前記差し替え位置情報とを比較して、前記差し替え位置情報にかかる位置にある領域データ（領域Ｂ）を差し替え領域（領域Ｄ）の領域データと差し替える（Ｓ５０６）。ついで、差し替え後の文字、図形および写真領域データ（領域Ａ、領域Ｄおよび領域Ｃ）を合成して文書ファイルを再構成し、所定のファイル形式に変換して更新文書ファイルを作成する（Ｓ５０７）。図１３（ｄ）は、領域を差し替えて作成した更新文書ファイルの該当ページを示している。ファイルサーバ２は、得られた更新文書ファイル１３１をハードディスク２４の所定のディレクトリに記憶する（Ｓ５０８）。
【００５９】
上記各実施形態では、本発明の画像処理システムを、画像処理装置としてスキャナを例にして説明したが、本発明はこれに限定されるものではなく、画像処理装置は、スキャナ以外に、デジタル複写機、ファクシミリ装置等の原稿読み取り機能を有する多機能周辺機器（ＭＦＰ）等であってもよい。
【００６０】
本発明による画像処理装置を構成する各手段、および画像処理方法は、専用のハードウエア回路によっても、プログラムされた画像処理装置によっても実現することができる。プログラムされた画像処理装置によって本発明を実現する場合、画像処理装置を動作させるプログラムは、フロッピーディスクやＣＤ−ＲＯＭ等のコンピュータ読取可能な記録媒体によって提供されることができる。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、画像処理装置の一機能としてその装置のソフトウエアに組み込んでもよい。
【００６１】
【発明の効果】
上述したように、本発明によれば、登録文書ファイル中の変更や追加した領域だけを差し替えたり挿入したりすることができるので、文書ファイルの更新登録の処理が極めて簡便に短時間で行えるだけでなく、ネットワークトラフィックにも不要の負荷をかけることがない。さらに、登録文書ファイル中の差し替え位置にあった既存の領域データを非表示として保存しておくことにより、極めて少ないファイル容量で文書ファイルの更新履歴を残すことができる。
【図面の簡単な説明】
【図１】  本発明の第１の実施形態にかかる画像処理システムの全体構成を示すブロック図である。
【図２】  図１の画像処理システムにおけるスキャナ１の構成を示すブロック図である。
【図３】  図１の画像処理システムにおけるファイルサーバ２の構成を示すブロック図である。
【図４】  図１の画像処理システムにおける新規文書登録の手順を示すフローチャートである。
【図５】  図１の画像処理システムにおける差し替えの場合の更新文書登録の手順を示すフローチャートである。
【図６】  図１の画像処理システムにおけるスキャナ１の動作を示すフローチャートである。
【図７】  図１の画像処理システムにおけるスキャナ１の動作を示すフローチャートである。
【図８】  図１の画像処理システムにおける差し替え位置指定原稿およびこれを読み取って得られた画像データの一例を示す図である。
【図９】  図１の画像処理システムにおける差し替え領域原稿、差し替え領域データおよび登録文書ファイル、ならびにこれを差し替えて得られた更新文書ファイルの一例を示す図である。
【図１０】  図１の画像処理システムにおけるファイルサーバ２の動作を示すフローチャートである。
【図１１】  図１の画像処理システムにおける挿入領域原稿、挿入領域データおよび登録文書ファイル、ならびにこれを挿入して得られた更新文書ファイルの一例を示す図である。
【図１２】  本発明の第２の実施形態にかかる画像処理システムにおける差し替えの場合の更新文書登録の手順を示すフローチャートである。
【図１３】  図１２の画像処理システムにおける差し替え文書原稿、これを読み取って得られた画像データ、差し替え領域データおよび登録文書ファイル、ならびにこれを差し替えて得られた更新文書ファイルの一例を示す図である。
【符号の説明】
１…スキャナ、
２…ファイルサーバ、
３…コンピュータネットワーク、
１１，２１…ＣＰＵ、
１２，２２…ＲＯＭ、
１３，２３…ＲＡＭ、
１４…操作パネル部、
１５…原稿読取部、
１６，２７…ネットワークインタフェース、
１７，２８…バス、
２４…ハードディスク、
２５…ディスプレイ、
２６…入力装置、
４１…差し替え位置指定原稿、
４２，１１２…マーカ、
５１，１２１…画像データ、
５２，１２２…マーカ領域、
５３，１２３…マーカ領域の外接矩形、
６１…差し替え領域原稿、
７１…登録文書ファイル、
８１、１０１，１０２，１３１…更新文書ファイル、
９１…挿入領域原稿、
１０３…挿入ページ、
１１１…差し替え文書原稿。
【図１】
0004240847.tif 000002
【図２】
0004240847.tif 000003
【図３】
0004240847.tif 000004
【図４】
0004240847.tif 000005
【図５】
0004240847.tif 000006
【図６】
0004240847.tif 000007
【図７】
0004240847.tif 000008
【図８】
0004240847.tif 000009
【図９】
0004240847.tif 000010
【図１０】
0004240847.tif 000011
【図１１】
0004240847.tif 000012
【図１２】
0004240847.tif 000013
【図１３】
0004240847.tif 000014